(57)【要約】【課題】瓦葺き屋根における降り棟を設置する部分において、降り棟瓦であっても屋根板及び屋根瓦上に強固に支持できるようにするための降り棟瓦用支持金具を提供する。【解決手段】傾斜している屋根板２上に葺設される瓦３の頭部３１を上下から挟み込み得る上片１２と下片１３を有した瓦頭部挟持部１１と、下片１３の先側に延設されていて屋根板２上面に止着される止着片１６と、上片１２から上方に立設された支柱１７と、支柱１７の上部に取付けられた芯材受１８とを有しているとともに、瓦頭部挟持部１１の上片１２部分に、上片１２と下片１３間に瓦頭部３１を挟み込んだ状態で上片１２に対して上方からねじ締めすることで瓦頭部３１を瓦頭部挟持部１１に固定させるための固定手段５を設けている支持金具１を使用することにより、通常は屋根瓦上に固定しにくい降り棟瓦４であっても、該降り棟瓦４を強固に固定できるようにした。【選択図】  図２
2017031587.tif 000002
【特許請求の範囲】
【請求項１】
瓦葺き屋根の屋根傾斜方向に向けて設置される降り棟瓦（４）を支持するための降り棟瓦用支持金具であって、
傾斜している屋根板（２）上に葺設される瓦（３）の頭部（３１）を上下から挟み込み得る上片（１２）と下片（１３）を有した側面視コ形の瓦頭部挟持部（１１）と、上記下片（１３）の先側に延設されていて上記屋根板（２）上面に止着具（８）で止着される止着片（１６）と、上記上片（１２）から上方に立設された支柱（１７）と、該支柱（１７）の上部に取付けられていて降り棟瓦緊結用の緊結線（７）を絡ませる芯材（６）を保持する芯材受（１８）とを有しているとともに、
上記瓦頭部挟持部（１１）の上片（１２）部分に、該上片（１２）と下片（１３）間に上記瓦（３）の頭部（３１）を挟み込んだ状態で上記上片（１２）に対して上方からねじ締めすることで上記瓦（３）の頭部（３１）を上記瓦頭部挟持部（１１）に固定させるための固定手段（５）を設けている、
ことを特徴とする降り棟瓦用支持金具。
【請求項２】
請求項１において、
上記固定手段（５）は、上記上片（１２）に設けた雌ネジ（５１）に対して上記支柱（１７）の下端部に設けた雄ネジ（５２）を上記上片（１２）の上面側からねじ込むもの採用している、
ことを特徴とする降り棟瓦用支持金具。
【請求項３】
請求項１又は２において、
上記止着片（１６）を上記止着具（８）で屋根板（２）上面に固定した状態では、上記下片（１３）で屋根板（２）上に葺設している瓦（３）の尻部（３２）上面を上記屋根板（２）側に押し付け得るように構成している、
ことを特徴とする降り棟瓦用支持金具。
【発明の詳細な説明】
【技術分野】
【０００１】
本願発明は、瓦葺き屋根の屋根傾斜方向に向けて設置される降り棟瓦を支持するための降り棟瓦用支持金具に関するものである。
【背景技術】
【０００２】
瓦葺き屋根には、屋根頂部の大棟の端部から屋根傾斜方向に向けて下る降り棟（化粧棟とも称される）を設けたものがある。
【０００３】
この種の降り棟の公知例として、例えば図５及び図６に示すものがあるが、この公知例の降り棟は、屋根板２上に葺設した下り方向に連続する一連の瓦３，３・・上に、複数段（図示例では５段）の熨斗瓦４１，４１・・とその上の冠瓦４２からなる降り棟瓦４を載せたものである。尚、以下の説明では、屋根板２上に葺設した瓦３を、ほかの瓦（例えば降り棟瓦）と区別するために屋根瓦３と称することがある。
【０００４】
そして、図５及び図６に示す公知例の降り棟施工例は、屋根傾斜方向に連続する一連の屋根瓦３，３・・上に、順次葺土（漆喰）９を介して左右一対からなる各段（第１段〜第５段）の熨斗瓦４１，４１を順次積み上げ、その最上段の熨斗瓦４１，４１上に葺土９を介して冠瓦４２を載置したものである。各段の左右の熨斗瓦４１，４１同士は、それぞれ熨斗瓦緊結線７で緊結している一方、冠瓦４２は、上から２段目の熨斗瓦緊結線７に絡ませて冠瓦緊結線７ａで緊結している。
【０００５】
ところで、この種の降り棟（特に多数段の熨斗瓦を有したもの）は、強風時に大きな風圧を受け易いとともに、屋根傾斜面に沿って下り傾斜状態で設置されているので、大きな地震が発生したときには降り棟瓦４が下の屋根瓦３に対して下方にずり落ち易くなるという性状を有している。
【０００６】
このような背景に対して、図５及び図６に示す公知例の降り棟施工例では、屋根板２上に葺設された各屋根瓦３はそれぞれ釘２１で屋根板２（瓦桟２ａ）上に固定されている（ずり落ちにくい）が、その上の降り棟瓦４（熨斗瓦４１と冠瓦４２）は、屋根板２上に葺設された一連の各屋根瓦３，３・・の上面に葺土９で接着されているだけなので、屋根板２上の屋根瓦３と降り棟瓦４との結着性は弱いものである。
【０００７】
従って、図５及び図６に示す降り棟では、降り棟瓦４の屋根板２（又は屋根瓦３）に対する設置強度が弱いので、強風時の風圧や大地震時の振動等により、該降り棟瓦４が下の屋根瓦３から位置ずれしたり下方にずり落ちたりし易くなる。
【０００８】
ところで、屋根頂部に設けられる大棟部分には、例えば特開２０１５−９４１１７号公報（特許文献１）に示されるように、左右の屋根板の接合部分（稜線部分）に支柱を取付けるスペース（左右の熨斗瓦で塞がれていない部分）がある。そして、該スペース部分に棟長さ方向に間隔をもって複数本の支柱を立設し（支柱下端部を左右の屋根板上に釘止めしている）、各支柱に跨がって芯材（角材等）を棟長さ方向に架設し、該芯材に熨斗瓦や冠瓦を緊結する緊結線を絡ませることで、棟瓦（熨斗瓦及び冠瓦）を芯材及び支柱を介して棟頂部に強固に固定し得る（位置ずれを防止できる）ようにしたものがある。
【０００９】
ところが、降り棟を設置する部分の各屋根瓦３，３・・は、図５に示すように、屋根下り方向に順次一部（下段側屋根瓦の尻部３２と上段側屋根瓦の頭部３１）を重合させた状態で連続している関係で、降り棟設置部分の各屋根瓦３，３・・部分に、上記した大棟部分（特開２０１５−９４１１７号公報のもの）のように棟瓦固定用の支柱を屋根板２に固定した状態で設けることは非常に困難であった。
【００１０】
尚、従来の降り棟施工例には、降り棟瓦を屋根板に対して特別な支持金具を用いて固定したものは見当たらなかった。
【先行技術文献】
【特許文献】
【００１１】
【特許文献１】特開２０１５−９４１１７号公報
【発明の概要】
【発明が解決しようとする課題】
【００１２】
そこで、本願発明は、瓦葺き屋根における降り棟を設置する部分において、降り棟瓦であっても屋根瓦上に強固に支持することができる降り棟瓦用支持金具を提供することを目的としている。
【課題を解決するための手段】
【００１３】
本願発明は、上記課題を解決するための手段として次の構成を有している。
【００１４】
ところで、瓦葺き屋根における降り棟は、屋根頂部の大棟の端部から屋根傾斜方向に向けて設置されたものであって、屋根板上に葺設した下り方向に連続する一連（一列）の瓦上に降り棟瓦（熨斗瓦及び冠瓦）を一列状態で載せたものである。尚、本願の説明においても、屋根板上に葺設した瓦を、ほかの瓦（例えば降り棟瓦）と区別するために屋根瓦と称することがある。
【００１５】
そして、本願発明は、添付の図１〜図４に例示するように、瓦葺き屋根の屋根傾斜方向に向けて設置される降り棟瓦４（図示例では熨斗瓦４１とその上の冠瓦４２で構成されている）を支持するための降り棟瓦用支持金具１を対象にしたものである。尚、以下の説明では、本願の発明の名称（降り棟瓦用支持金具）を単に支持金具ということがある。
【００１６】
［本願請求項１の発明］
本願請求項１の降り棟瓦用支持金具（支持金具）１は、図１に示すように、傾斜している屋根板２（図２、図３参照）上に葺設される屋根瓦３の頭部３１を上下から挟み込み得る上片１２と下片１３を有した側面視コ形の瓦頭部挟持部１１と、上記下片１３の先側に延設されていて屋根板２の上面に止着具（ビスや釘）８で止着される止着片１６と、上記上片１２から上方に立設された支柱１７と、該支柱１７の上部に取付けられていて降り棟瓦緊結用の緊結線７を絡ませる芯材６を保持する芯材受１８とを有しているとともに、上記瓦頭部挟持部１１の上片１２部分に、上片１２と下片１３間の隙間１４に屋根瓦３の頭部３１を挟み込んだ状態で上片１２に対して上方からねじ締めすることで屋根瓦３の頭部３１を瓦頭部挟持部１１に固定させるための固定手段５を設けていることを特徴としている。
【００１７】
この請求項１の支持金具１では、上記支柱１７は上片１２に対して一体的に固定（例えば溶接）したものでもよいし、後述の請求項２のように支柱１７を上片１２に対してねじ式に連結し得るようにしたものでもよい。尚、支柱１７を上片１２に一体的に固定（例えば溶接）したものでは、上記固定手段５として、支柱１７とは別に上片１２にねじ込むためのボルトを使用する。
【００１８】
この請求項１の支持金具１の使用方法については、後述の実施例の項で詳しく説明するが、この支持金具１は、図２に示すように瓦頭部挟持部１１における瓦頭部差込み用の開口１１ａが上方傾斜側（大棟側）に向き、該瓦頭部挟持部１１の大部分の長さ範囲が既設の屋根瓦３の尻部３２上に重合する（載る）ように配置した状態で、下片１３に延設している止着片１６を止着具（ビスや釘）８で屋根板２上に固定する。
【００１９】
そして、瓦頭部挟持部１１の開口１１ａから上片１２と下片１３間の隙間１４内に上段側屋根瓦３の頭部３１を差込むが、この頭部差込み状態では、瓦頭部挟持部１１（上片１２と下片１３）が上段側屋根瓦３の頭部３１を下面側から上面側に迂回しているので、下段側屋根瓦３の尻部３２と上段側屋根瓦３の頭部３１とが屋根傾斜方向に重合するものであっても、下段側屋根瓦と上段側屋根瓦間を通して瓦頭部挟持部１１を配置できる。その後、上片１２に対して固定手段５で上方からねじ締めすることで、瓦頭部挟持部１１に屋根瓦３の頭部３１を固定することができる。尚、この支持金具１は、屋根傾斜方向に所定間隔をもって複数箇所（図３の例では２つ置きの各屋根瓦３，３位置）に取付けられるが、その支持金具取付状態では、各支柱１７部分は上片１２上にそれぞれ安定姿勢で立設されている。
【００２０】
そして、各支持金具１，１の支柱１７，１７上部にある各芯材受１８，１８に跨がって長尺の芯材（例えば角材）６を設置する（釘打ちにより芯材６を芯材受１８に固定する）ことで、降り棟設置部分に配置される各降り棟瓦４（熨斗瓦４１及び冠瓦４２）をそれぞれ緊結線７で上記芯材６に絡めながら緊結することができる。
【００２１】
このように、本願の支持金具１では、屋根の下り方向に下段側屋根瓦３と上段側屋根瓦３とが一部重合状態で連続していても、瓦頭部挟持部１１を上段側屋根瓦３の頭部３１を下面側から上面側に迂回して配置させることができるので、通常は屋根板２や屋根瓦３に固定しにくい降り棟瓦４（熨斗瓦４１や冠瓦４２）であっても、該降り棟瓦４を屋根板２上に固定した各支持金具１，１及び各芯材受１８，１８に跨がって架設される芯材６を介して強固に固定できる。
【００２２】
［本願請求項２の発明］
本願請求項２の発明は、上記請求項１の支持金具１において、上記固定手段５は、上記上片１２に設けた雌ネジ５１に対して上記支柱１７の下端部に設けた雄ネジ５２を上片１２の上面側からねじ込むもの採用していることを特徴としている。
【００２３】
この請求項２の支持金具１では、上記固定手段５のねじ込み部分（雄ネジ５２）を支柱１７で共用できるので、専用のねじ込み部材（ボルト）が不要となる。
【００２４】
［本願請求項３の発明］
本願請求項３の発明は、上記請求項１又は２の支持金具１において、上記止着片１６を上記止着具８で屋根板２上面に固定した状態では、上記下片１３で屋根板２上に葺設している瓦３の尻部３２上面を屋根板２側に押し付け得るように構成していることを特徴とするものである。
【００２５】
即ち、この請求項３の支持金具１では、請求項１のように瓦頭部挟持部１１で上段側屋根瓦３の頭部３１を挟持した状態で固定できる一方、止着片１６を屋根板２上に固定することことで瓦頭部挟持部１１の下片１３で下段側屋根瓦３を尻部３２を屋根板２側に押し付けることができるようになっている。
【発明の効果】
【００２６】
［本願請求項１の発明の効果］
本願請求項１の支持金具１は、屋根瓦３の頭部３１を上下から挟み込み得る上片１２と下片１３とを有する側面視コ形の瓦頭部挟持部１１と、屋根板２上面に止着される止着片１６と、上片１２から上方に立設された支柱１７と、支柱１７の上部に取付けた芯材受１８と、瓦頭部挟持部１１に屋根瓦３の頭部３１を固定するための固定手段５とを有したものである。
【００２７】
そして、瓦頭部挟持部１１を下段側屋根瓦３の尻部３２上に重合させた状態で止着片１６を屋根板２上に固定し、瓦頭部挟持部１１の上片１２と下片１３間の隙間１４に上段側屋根瓦３の頭部３１を差し込んだ状態で固定手段５により該上段側屋根瓦３の頭部３１を瓦頭部挟持部１１にねじ固定することで、この支持金具１を屋根板２及び屋根瓦３上に装備できる。
【００２８】
従って、この請求項１の支持金具１を使用すると、降り棟瓦４を芯材６及び支柱１７を介して屋根板２及び屋根瓦３に支持できるので、通常は屋根板２や屋根瓦３に固定しにくい降り棟瓦４であっても、該降り棟瓦４を強固に支持できるという効果がある。
【００２９】
又、本願請求項１の支持金具１では、止着片１６で屋根板２上に固定できる一方、瓦頭部挟持部１１を上段側屋根瓦３の頭部３１に固定できる（この支持金具１を２箇所で固定できる）ので、この支持金具１の取付強度が強くなることにより、この支持金具１で保持した芯材６による降り棟瓦４の支持強度を一層強固にできるという効果がある。
【００３０】
［本願請求項２の発明の効果］
本願請求項２の発明の支持金具１では、上記固定手段５として、上片１２に設けた雌ネジ５１に対して支柱１７の下端部に設けた雄ネジ５２を上片１２の上面側からねじ込むもの採用している。
【００３１】
従って、この請求項２の支持金具１では、上記請求項１の効果に加えて、固定手段５のねじ込み部分（雄ネジ５２）を支柱１７で共用できるので、専用のねじ込み部材（ボルト）が不要となる（部材点数を削減できる）という効果がある。
【００３２】
［本願請求項３の発明の効果］
本願請求項３の発明の支持金具１は、止着片１６を止着具８で屋根板２上面に固定した状態では、下片１３が屋根板２上に葺設している瓦３の尻部３２上面を屋根板２側に押し付け得るように構成しているので、上段側屋根瓦３の頭部３１を挟持する瓦頭部挟持部１１の下片１３を利用して下段側屋根瓦３の尻部３２を屋根板２上に押し付ける（固定する）ことができる。
【００３３】
従って、この請求項３の支持金具１では、上記請求項１及び２の効果に加えて、瓦頭部挟持部１１の下片１３を下段側屋根瓦３の尻部押し付け用（固定用）として有効利用できるという効果がある。
【図面の簡単な説明】
【００３４】
【図１】本願実施例の降り棟瓦用支持金具と屋根瓦の斜視図である。
【図２】図１の降り棟瓦用支持金具の使用方法説明図である。
【図３】図１の降り棟瓦用支持金具を使用した降り棟の側面図である。
【図４】図３のIV−IV拡大断面図である。
【図５】公知の降り棟施工状態の側面図である。
【図６】図５のVI−VI拡大断面図である。
【発明を実施するための形態】
【００３５】
［実施例］
以下、図１〜図４を参照して本願実施例の降り棟瓦用支持金具１を説明する。尚、以下の実施例の説明においても、降り棟瓦用支持金具を単に支持金具と称することがあるとともに、屋根板上に葺設した瓦を、ほかの瓦（例えば降り棟瓦）と区別するために屋根瓦と称することがある。又、以下に記載した各種寸法は、全体構成を理解しやすくするために表記したものであるが、表記した各寸法は特に限定されるものではなく、許容される範囲内で変更可能なものである。
【００３６】
図１には、本願実施例の支持金具（降り棟瓦用支持金具）１と、屋根板２上に葺設される屋根瓦３を示している。
【００３７】
屋根瓦３には、この実施例では桟瓦が採用されている。尚、以下の説明では、屋根瓦３の頭部３１を単に瓦頭部３１ということがあり、屋根瓦３の尻部３２を単に瓦尻部３２ということがある。
【００３８】
この屋根瓦３は、図２及び図３に示すように、屋根板２上に固定した瓦桟２ａに瓦尻部３２を載せ掛けた状態で該瓦尻部３２の釘穴３３を通して瓦桟２ａに釘２１を打ち込むことで屋根板２上に固定される。又、この屋根瓦３は、下段側屋根瓦３の尻部３２と上段側屋根瓦３の頭部３１とを所定長さ重合させた状態で、屋根傾斜方向に葺設される。
【００３９】
図１に示す実施例の支持金具１は、曲げ強度の強い細幅（例えば３０mm程度の幅）の板金材を折曲してなる屋根側への固定部材Ａと、該固定部材Ａに着脱自在に連結される連結部材Ｂとで構成されている。
【００４０】
固定部材Ａには、屋根瓦３の頭部３１を上下から挟み得る上片１２と下片１３とを有する側面視コ形の瓦頭部挟持部１１を有している。この瓦頭部挟持部１１は、図３に示すように、屋根瓦葺設状態で下段側屋根瓦３の尻部３２側と上段側屋根瓦３の頭部３１側との重合長さより僅かに長い長さ（例えば８〜９cm程度）を有している。
【００４１】
瓦頭部挟持部１１における上片１２と下片１３間には瓦頭部３１を挿入し得る隙間１４を有しているが、この隙間１４の上下間隔は、瓦頭部３１の厚さ（例えば１５mm程度の厚さ）よりやや大きく（例えば２０〜２５mm程度の間隔）している。又、該上片１２と該下片１３とは、瓦頭部挟持部１１の先端側で連続していて、反連続側は瓦頭部挿入用の開口１１ａとなっている。
【００４２】
下片１３における開口１１ａ側の端部には、瓦尻部３２の上面側隆起部３２ａ（図１、図２参照）を上から押さえるための上向き凸部１３ａが形成されている。この上向き凸部１３ａは、下面側に瓦尻部３２の上面側隆起部３２ａを跨ぐような凹部を設けたもので、図２に示すように固定部材Ａを瓦尻部３２の近傍にセットした状態では、上記上向き凸部１３ａの下面（凹部）が瓦尻部３２の上面側隆起部３２ａ上に載るようになっている。尚、この上向き凸部１３ａは、瓦尻部３２の上面側隆起部３２ａを跨ぐような凹部を有しているので、固定部材Ａを屋根板２上の瓦尻部３２近傍にセットする際の位置決め用としての機能もある。
【００４３】
瓦頭部挟持部１１における下片１３には、その先端から垂下片１５を介して所定高さ段下げしたのち外向きに延設された止着片１６を一体形成している。この止着片１６には、ビス又は釘等の止着具８を挿通させるための穴１６ａ（２箇所）を設けている。
【００４４】
そして、上記垂下片１５の高さは、図２に示すように、下片１３の上向き凸部１３ａを屋根板２上に葺設した屋根瓦３の尻部隆起部３２ａ上に載せた状態で、止着片１６を止着具８で屋根板２上に固定すると、上記上向き凸部１３ａで瓦尻部３２を屋根板２（瓦桟２ａ）上に押し付け得るような高さに設定している。
【００４５】
瓦頭部挟持部１１の上片１２には、瓦頭部挟持部１１に瓦頭部３１を固定するための固定手段５（後述する）の一部となる雌ネジ５１が設けられている。この実施例では、該雌ネジ５１として上片１２の上面に設けた穴空き部分（図示省略）にナットを溶接したものを採用している。
【００４６】
上記連結部材Ｂは、瓦頭部挟持部１１の上片１２の上方に立設される支柱１７と、該支柱１７の上部に取付けた芯材受１８とを有している。
【００４７】
この実施例では、支柱１７は、瓦頭部３１固定用の固定手段５の一部に共用されるもので、所定長さ（例えば１００〜１２０mm長さ）のボルトが採用されている。即ち、この支柱１７の下端部には、雄ネジ５２が設けられていて、該雄ネジ５２を上片１２に設けた雌ネジ（ナット）５１にねじ込み得るようにしている。尚、支柱１７の雄ネジ５２部分には、緩み止めナット５３が螺合されていて、図３及び図４に示すように支柱１７の下端部で瓦頭部３１を押し付けた状態で緩み止めナット５３を締め付けることによって支柱１７の雄ネジ５２部分が弛まないようにしている。
【００４８】
芯材受１８は、上方が開口する略Ｕ形形状であって支柱１７の上端に固定（又は回転自在に連結）されている。そして、この芯材受１８は、図３及び図４に示すように、内部に芯材（角材）６を落とし込んだ状態で側面から釘打ちすることで、該芯材受１８で芯材６を保持し得るようになっている。
【００４９】
この実施例の支持金具１は、使用前には、支柱１７の雄ネジ５２の先端部を瓦頭部挟持部１１の上片１２の雌ネジ（ナット）５１に若干深さだけ螺合させておくことで、固定部材Ａと連結部材Ｂとを一体化させた状態で取り扱うことができる。
【００５０】
この実施例の支持金具１は、次のように使用される。即ち、この支持金具１は、図２に示すように、屋根板２上における降り棟設置位置に屋根瓦３を固定していく作業に併行して屋根傾斜方向に所定間隔をもって屋根板２上に立設固定されるが、この実施例では、図３に示すように各支持金具１，１を２つ置き（特に限定するものではない）の屋根瓦設置間隔をもって取付けられる。
【００５１】
そして、この支持金具１は、図２に示すように瓦頭部挟持部１１における瓦頭部差込み用の開口１１ａが上方傾斜側に向き、該瓦頭部挟持部１１の大部分の長さ範囲が既設の屋根瓦３の尻部３２上に載るように配置した状態で、下片１３に延設している止着片１６を止着具（ビスや釘）８で屋根板２上に固定する。このとき、下片１３の上向き凸部１３ａが瓦尻部３２の上面側隆起部３２ａを上から押さえ付けているので、固定部材Ａで下段側屋根瓦３の尻部３２を屋根板２（瓦桟２ａ）上に押し付ける機能を有している。
【００５２】
続いて、瓦頭部挟持部１１の開口１１ａから上片１２と下片１３間の隙間１４内に上段側屋根瓦３の頭部３１を差込むが、この瓦頭部差込み状態では、瓦頭部挟持部１１（上片１２と下片１３）が上段側屋根瓦３の頭部３１を下面側から上面側に迂回しているので、下段側屋根瓦３の尻部３２と上段側屋根瓦の頭部３１とが屋根傾斜方向に重合するものであっても、下段側屋根瓦３と上段側屋根瓦３間を通して瓦頭部挟持部１１を配置できる。
【００５３】
その後、上段側屋根瓦３の尻部３２を上段側の瓦桟２ａに釘止めするとともに、上片１２の雌ネジ（ナット）５１に対して支柱１７の雄ネジ５２をねじ込んでいくことで、図３に示すように上段側屋根瓦３の頭部３１を瓦頭部挟持部１１に固定する（下片１３上に押付ける）ことができる。又、この支持金具１は、図３に示すように屋根傾斜方向に所定間隔をもって複数箇所（図３の例では２つ置きの各屋根瓦３，３位置）に取付けられるが、その各支持金具１，１の取付状態では、各支柱１７部分は上片１２上にそれぞれ安定姿勢で立設されているとともに、各芯材受１８，１８の軸芯は相互に同一直線方向に指向させる。
【００５４】
続いて、各支持金具１，１の支柱１７，１７上部にある各芯材受１８，１８に跨がって長尺の芯材（例えば角材）６を架設する（釘打ちにより芯材６を芯材受１８に固定する）ことで、降り棟設置部分に補強用の芯材６を設置できる。
【００５５】
そして、降り棟設置部分に補強用の芯材６を設置した後、図３及び図４に示すように、順次葺土９を介在させながら該芯材６の左右に熨斗瓦４１，４１・・を適数段（図示例では５段）積み重ね、さらにその最上段の左右熨斗瓦４１，４１上に冠瓦４２を載せて降り棟を構築するが、各段の熨斗瓦４１，４１及び最上部の冠瓦４２は、芯材６に絡めた緊結線７（及び７ａ）でそれぞれ強固に緊結することができる。
【００５６】
このように、この実施例の支持金具１を使用すると、屋根傾斜方向に下段側屋根瓦３と上段側屋根瓦３とが一部重合状態で連続していても、瓦頭部挟持部１１部分で上段側屋根瓦３の頭部３１を迂回させることができるので、この支持金具１を屋根板２（及び屋根瓦３）に固定した状態で設置できる。そして、屋根板２及び屋根瓦３に固定した各支持金具１，１の芯材受１８，１８に跨がって緊結線絡ませ用の芯材６を架設できるので、通常は屋根板２や屋根瓦３に固定しにくい降り棟瓦４（熨斗瓦４１や冠瓦４２）であっても、降り棟瓦４（熨斗瓦４１や冠瓦４２）を各支持金具１，１及び該支持金具１，１に架設した芯材６を介して強固に固定できる。
【００５７】
又、この実施例の支持金具１では、止着片１６で屋根板２上に固定できる一方、瓦頭部挟持部１１を上段側屋根瓦３の頭部３１に固定できる（この支持金具１を２箇所で固定できる）ので、この支持金具１の取付強度が強くなることにより、この支持金具１による降り棟瓦４の支持強度を一層強くできる。
【００５８】
又、この実施例の支持金具１では、止着片１６を止着具（ビスや釘）８で屋根板２上に固定することで、下片１３（上向き凸部１３ａ）が下段側屋根瓦３の尻部３２を上から押さえ付けている。従って、固定部材Ａの下片１３が下段側屋根瓦３の尻部３２を屋根板２（瓦桟２ａ）上に押し付ける機能を果たすので、該下片１３を瓦尻部押し付け用として有効利用できる。
【００５９】
さらに、この実施例のように、固定手段５として上片１２に設けた雌ネジ５１に対して支柱１７の下端部に設けた雄ネジ５２を上片１２の上面側からねじ込むもの採用していると、固定手段５のねじ込み部分（雄ネジ５２）を支柱１７で共用できるので、専用のねじ込み部材（ボルト）が不要となる（部材点数を削減できる）。
【符号の説明】
【００６０】
１は支持金具、２は屋根板、２ａは瓦桟、３は瓦（屋根瓦）、４は降り棟瓦、５は固定手段、６は芯材、７及び７ａは緊結線、８は止着具、９は葺土、１１は瓦頭部挟持部、１２は上片、１３は下片、１４は隙間、１６は止着片、１７は支柱、１８は芯材受、３１は瓦頭部、３２は瓦尻部、４１は熨斗瓦、４２は冠瓦、５１は雌ネジ（ナット）、５２は雄ネジ、Ａは固定部材、Ｂは連結部材である。
【図１】
2017031587.tif 000003
【図２】
2017031587.tif 000004
【図３】
2017031587.tif 000005
【図４】
2017031587.tif 000006
【図５】
2017031587.tif 000007
【図６】
2017031587.tif 000008